(57)【要約】【課題】  コンクリート打設時に空洞を生じさせる事無く、又、コンクリート配送用ホース等によるレベル表示板を倒す事の無い作業性・耐久性の良い転倒及び空洞防止型床面コンクリートのレベル調整具を開発・提供する事にある。【解決手段】  本体中央部にレベル表示板螺着用調整ネジ部と所定寸法間隔空けた左右方向二箇所に、係止部の上下高さを所定寸法間隔空けて設けた係止ホルダーをそれぞれ連結し、且つ、係止ホルダーの上下ほぼ中程部に固着した連結部材をそれぞれ一体形成して設けたレベル調整具とレベル調整具の調整ネジ部に螺着して設けたレベル表示板から成り、又、レベル表示板の本体胴体部を上面は開口し、側面にも複数の開口部を形成し、且つ、上下移動可能にする事でコンクリート打設時における空洞発生を防止し、レベル調整具の調整ネジ部を左右の連結部材で包囲し固定することで、コンクリート打設時におけるレベル表示板の転倒を防止する。【選択図】  図３
0003118741.tif 000002
【実用新案登録請求の範囲】
【請求項１】
本体（１）の中央部にレベル表示板螺着用調整ネジ部（１ｂ）と所定寸法間隔（Ｙ）空けた左右方向二箇所に、係止部の上下高さを所定寸法間隔（Ｘ）空けて交差した鉄筋（Ｂ１）（Ｂ２）の箇所に設けた係止ホルダー（２）（３）をそれぞれ連結し、且つ、係止ホルダー（２）（３）の上下ほぼ中程部に固着した連結部材（４）（５）をそれぞれ一体形成して設けたレベル調整具とレベル調整具の調整ネジ部（１ｂ）に螺着して設けたレベル表示板（６）から成る事を特徴とする転倒及び空洞防止型床面コンクリートのレベル調整具。
【請求項２】
レベル表示板（６）の本体胴体部（６ａ）を、上面は開口し、側面にも複数の開口部を形成し、且つ、上下移動可能にする事で、コンクリート打設時における空洞発生を防止する事を特徴とする請求項１記載の転倒及び空洞防止型床面コンクリートのレベル調整具。
【請求項３】
交差した鉄筋（Ｂ１）（Ｂ２）の箇所に係止した際、レベル調整具の調整ネジ部（１ｂ）を左右の連結部材（４）（５）で包囲し固定することで、コンクリート打設作業時におけるレベル表示板（６）の転倒を防止する事を特徴とする請求項１記載の転倒及び空洞防止型床面コンクリートのレベル調整具。
【請求項４】
係止ホルダー（２）（３）の開閉式固定部材（２ｂ）（３ｂ）の外面中央部に案内板（２ｃ’）（３ｃ’）を固着する事で、鍵部（２ｃ）（３ｃ）の係止を円滑可能にして設けた事を特徴とする請求項１記載の転倒及び空洞防止型床面コンクリートのレベル調整具。
【考案の詳細な説明】
【技術分野】
【０００１】
この考案は、転倒及び空洞防止型床面コンクリートのレベル調整具に関するものである。
【背景技術】
【０００２】
従来、鉄筋コンクリート建造物の施工において、コンクリート打設時に、スラブ面を所定の位置にて水平面に仕上げる必要があった。
【０００３】
そして、コンクリート打設前に、床型枠の上面に鉄筋を配筋し、延設部の要所要所に水平器等を持って測定し、印を施したり、スラブ面に所定高さのコンクリート固まりを置いたり、又は、所定の高さ寸法の治具を釘等にて固定して突設したりしていた。
【０００４】
しかし、コンクリート打設時に、作業者がコンクリート固まりや、所定の高さ寸法の治具を誤って蹴り飛ばす事があり、見え難い事もあった。更に、係止アームは下方から組み付け、鉄筋を係止するものであり、セットし難く、又、この係止アームに係止された箇所の組み付け鉄筋を作業員が踏むと、組み付け鉄筋が撓んで下方に下がり、係止アームの底部に触れる結果、このレベル調整具が傾いたり、破損したりして、用をなさないという欠点があった。
【０００５】
更に、この調整具は、コンクリート内に埋め殺しと成る為、コンクリートを打設し、養生をした後、床型枠を取り外した際、差し込み釘がコンクリートから突出しており、この突出部をカットしていたが、湿気等が出て、天井面が汚れるという欠点もあった。
【０００６】
そこで、上記の問題を解決する為に発明されたのが先に出願している床面コンクリートのレベル調整具（特許文献１参照。）である。ところが、この対策型レベル調整具にも新たな二つの問題点が判明した。その一つは、レベル表示板の高さ調整部であるオネジとメネジの嵌合部が袋状に成っている為に、コンクリート打設後、その部分に空洞が生じる為、強度上の問題がある。又、もう一つはコンクリート打設作業時には必ずコンクリート配送用ホースを使用する為、その配送用ホースが作業時にレベル表示板に引っ掛かってレベル表示板を倒すといった新たな問題点が発生している。
【特許文献１】特開２００４−１５０２２３
【考案の開示】
【考案が解決しようとする課題】
【０００７】
そこで、上記課題を解決する為に、この考案はコンクリート打設作業時に空洞を生じさせる事無く、又、給水ホース等によるレベル表示板を倒す事の無い作業性・耐久性の良い転倒及び空洞防止型床面コンクリートのレベル調整具を開発・提供する事にある。
【課題を解決するための手段】
【０００８】
この課題を解決する為の手段として、本体の中央部にレベル表示板螺着用調整ネジ部と所定寸法間隔空けた左右方向二箇所に、係止部の上下高さを所定寸法間隔空けて交差した鉄筋の箇所に設けた係止ホルダーをそれぞれ連結し、且つ、係止ホルダーの上下ほぼ中程部に固着した連結部材をそれぞれ一体形成して設けたレベル調整具とレベル調整具の調整ネジ部に螺着して設けたレベル表示板から成るものである。
【０００９】
又、レベル表示板の本体胴体部を、上面は開口し、側面にも複数の開口部を形成し、且つ、上下移動可能にする事で、コンクリート打設時における空洞発生を防止するものである。
【００１０】
又、交差した鉄筋の箇所に係止した際、レベル調整具の調整ネジ部を左右の連結部材で包囲し固定することで、コンクリート打設作業時におけるレベル表示板の転倒を防止するものである。
【００１１】
又、係止ホルダーの開閉式固定部材の外面中央部に案内板を固着する事で、鍵部の係止を円滑可能にして設けたものである。
【考案の効果】
【００１２】
この考案の効果として、本体の中央部にレベル表示板螺着用調整ネジ部と所定寸法間隔空けた左右方向二箇所に、係止部の上下高さを所定寸法間隔空けて交差した鉄筋の箇所に設けた係止ホルダーをそれぞれ連結し、且つ、係止ホルダーの上下ほぼ中程部に固着した連結部材をそれぞれ一体形成して設けたレベル調整具とレベル調整具の調整ネジ部に螺着して設けたレベル表示板から成り、又、レベル表示板の本体胴体部を、上面は開口し、側面にも複数の開口部を形成し、且つ、上下移動可能にする事で、コンクリート打設時における空洞発生を防止し、又、交差した鉄筋の箇所に係止した際、レベル調整具の調整ネジ部を左右の連結部材で包囲し固定することで、コンクリート打設作業時におけるレベル表示板の転倒を防止し、更に、係止ホルダーの開閉式固定部材の外面中央部に案内板を固着する事で、鍵部の係止を円滑可能にして設けた事で、コンクリート建造物の施工工事内容の品質向上及び作業性・経済性の改善等、極めて有益なる効果を奏するものである。
【考案を実施するための最良の形態】
【００１３】
この考案の最良の形態として、品質・商品価値を高め、安価に製造する為に、出来るだけ少量の材料を使用し、高強度で安全性・作業性・経済性・生産性の良い寸法・形状に形成する事が望ましい。
【実施例１】
【００１４】
そこで、この考案の一実施例を図１〜図２に基づいて詳述すると、本体（１）の中央部にレベル表示板螺着用調整ネジ部（１ｂ）と所定寸法間隔（Ｙ）空けた左右方向二箇所に、係止部の上下高さを所定寸法間隔（Ｘ）空けて交差した鉄筋（Ｂ１）（Ｂ２）の箇所に設けた係止ホルダー（２）（３）をそれぞれ連結し、且つ、係止ホルダー（２）（３）の上下ほぼ中程部に固着した連結部材（４）（５）をそれぞれ一体形成して設けたレベル調整具とレベル調整具の調整ネジ部（１ｂ）に螺着して設けたレベル表示板（６）から成る事を特徴とする転倒及び空洞防止型床面コンクリートのレベル調整具から構成される。
【００１５】
又、レベル表示板（６）の本体胴体部（６ａ）を、上面は開口し、側面にも複数の開口部を形成し、且つ、上下移動可能にする事で、コンクリート打設時における空洞発生を防止する事を特徴とする請求項１記載の転倒及び空洞防止型床面コンクリートのレベル調整具から構成される。
【００１６】
又、交差した鉄筋（Ｂ１）（Ｂ２）の箇所に係止した際、レベル調整具の調整ネジ部（１ｂ）を左右の連結部材（４）（５）で包囲し固定することで、コンクリート打設作業時におけるレベル表示板（６）の転倒を防止する事を特徴とする転倒及び空洞防止型床面コンクリートのレベル調整具から構成される。
【００１７】
又、係止ホルダー（２）（３）の開閉式固定部材（２ｂ）（３ｂ）の外面中央部に案内板（２ｃ’）（３ｃ’）を固着する事で、鍵部（２ｃ）（３ｃ）の係止を円滑可能にして設けた事を特徴とする転倒及び空洞防止型床面コンクリートのレベル調整具から構成される。
【００１８】
又、この考案の係止ホルダー（２）（３）は、鉄筋部材の外径寸法がφ１０ｍｍ〜１６ｍｍまでの何れも使用可能で、小径サイズのφ１０ｍｍ〜１３ｍｍ間の鉄筋部材を使用する場合は、図５に示す様に上部に鉄筋サイズ判別表示（３ｄ）のある係止ホルダー（３）側に挟持片（７）を挟着して使用するが、鉄筋部材（Ｂ２）を係止する際はノブ（３ｂ’）を上方に持ち上げて開閉式固定部材（３ｂ）を開いて鉄筋部材（Ｂ２）を装着後、再び開閉式固定部材（３ｂ）を閉じて鍵部（３ｃ）で固着する。又、一方、大径サイズのφ１６ｍｍの鉄筋部材（Ｂ１）を使用する場合は、図３に示す様に上部に鉄筋サイズ判別表示（３ｄ）の無い方の係止ホルダー（２）側に上記と同じ要領で直接係止する。又、この考案の係止ホルダーの特長は開閉式固定部材（２ｃ）（３ｃ）の外面中央に案内板（２ｃ’）（３ｃ’）を設けて鍵部（２ｃ）（３ｃ）が開閉式固定部材（２ｃ）（３ｃ）の内側に折れ込まないように改良したものである。
【００１９】
そして、更にノブ（２ｂ’）（３ｂ’）の左右両側には、ほぼ三角形状の補強板を設ける事で繰り返し使用しても破損しない様、改良したものである。
【００２０】
次に、図４（Ａ）（Ｂ）に示す様に、交差した鉄筋（Ｂ１）（Ｂ２）の箇所にレベル調整具を係止した際、レベル調整具の調整ネジ部（１ｂ）を左右の連結部材（４）（５）の穴部（４ａ）に嵌挿し止め板（５ａ）で固定し包囲することで、コンクリート打設作業時におけるレベル表示板（６）の転倒を防止するものである。
【００２１】
又、この考案のレベル表示板（６）の本体胴体部（６ａ）を、上面は開口し、側面にも複数の開口部を形成する事でコンクリートがレベル表示板（６）の内部まで充満しやすくして、空洞部が発生しないように改良したものである。
【００２２】
図３・図５に示すＨ寸法は、床面（ＦＬ）〜コンクリートのレベル面（Ｆ）までの高さ寸法を示すものである。
【産業上の利用可能性】
【００２３】
この考案の転倒及び空洞防止型床面コンクリートのレベル調整具は、コンクリート打設作業時に空洞を生じさせる事無く、又、コンクリート配送用ホース等によるレベル表示板を倒す事の無い作業性・耐久性面で優れている為、多くの土木建築市場に寄与する点で産業上の利用可能性を有する。
【図面の簡単な説明】
【００２４】
【図１】この考案の一実施例を示し、（Ａ）はレベル調整具本体の平面図で、（Ｂ）は正面図である。
【図２】この考案の一実施例を示し、（Ａ）はレベル表示板の平面図で、（Ｂ）は正面図である          。
【図３】この考案の使用例を示し、一部欠截正面図である。
【図４】この考案の使用例を示し、（Ａ）は平面図で、（Ｂ）は図３のａ−ａ矢視断面図である。
【図５】この考案の使用例を示し、一部欠截右側面図である。
【符号の説明】
【００２５】
１  本体
１ａ  本体連結部
１ｂ  調整ネジ部（オネジ側）
２  係止ホルダー
２ａ  保持部材
２ｂ  開閉式固定部材
２ｂ’  ノブ
２ｃ  鍵部
２ｃ’  案内板
３  係止ホルダー
３ａ  保持部材
３ｂ  開閉式固定部材
３ｂ’  ノブ
３ｃ  鍵部
３ｃ’  案内板
３ｄ  鉄筋サイズ判別表示（小径サイズ側）
４  連結部材
４ａ  穴部
５  連結部材
５ａ  止め板
６  レベル表示板
６ａ  本体胴体部
６ｂ  調整ネジ部（メネジ側）
６ｃ  位置表示用アンテナ部
７  挟持片
Ｂ１  大径鉄筋材
Ｂ２  小径鉄筋材
Ｆ  レベル面
ＦＬ  床面
Ｈ  床面とレベル面間高さ寸法
Ｘ  上下所定寸法間隔
Ｙ  左右所定寸法間隔
【図１】
0003118741.tif 000003
【図２】
0003118741.tif 000004
【図３】
0003118741.tif 000005
【図４】
0003118741.tif 000006
【図５】
0003118741.tif 000007